(57)【要約】    【課題】  端子ねじを水平方向に装着するように筐体が配置された場合であっても、配線時の作業性を悪化させないノイズフィルタを提供できる。    【解決手段】  端子台51への配線時には、保持部34が端子ねじ20を端子片15から浮かせた状態に保持する。そのため、外部端子123を保持部34の座金25と端子片15との間に位置させて、座金25により保持された端子ねじ20をドライバーＴなどの工具で回すだけで、外部端子123が座金25と端子片15との間に押圧状態で挟持される。したがって、端子ねじ20を水平方向に装着するように筐体102が配置された場合でも、端子台51への配線時の作業性は悪化しない。    【選択図】    図１
2005276567.tif 000002
【特許請求の範囲】
【請求項１】
ケース部材と板状部材とを備えた筐体を有し、前記ケース部材の側面部に端子台を配置したノイズフィルタにおいて、
前記端子台は、端子台本体と、前記端子台本体に設けられねじ孔を形成した端子片と、この端子片のねじ孔に螺合される端子ねじと、前記端子片との間に隙間を形成しつつ、該端子片を回動可能な状態で保持する保持部とを備えたことを特徴とするノイズフィルタ。
【請求項２】
前記端子台本体を前記ケース部材と一体に形成したことを特徴とする請求項１記載のノイズフィルタ。
【発明の詳細な説明】
【技術分野】
【０００１】
この発明は、端子片に形成したねじ孔に端子ねじを螺合することで、端子片と端子ねじの頭部との間に、電線を接続した外部端子を挟持する端子台を備えたノイズフィルタに関するものである。
【背景技術】
【０００２】
一般に、この種のノイズフィルタは例えば特許文献１に示すように、矩形箱状の筐体内部に各種回路素子が収容されると共に、筐体の例えば前面には外部接続用の入出力端子やグランド端子などが設けられる。ここでの入力端子や出力端子は、ねじ孔を形成した端子片を絶縁性材料からなる端子台本体の上面に設け、この端子片のねじ孔に端子ねじを螺合した端子台により構成される。
【０００３】
図７は、こうした端子台を備えたノイズフィルタの一例を示すものである。同図において、101はノイズフィルタの外郭である筐体102をなすケース、103はこのケース101の下面開口を塞ぐ板金部材としての底板板金で、ケース101の一側および他側より外方に突出した底板板金103の端子基部104には、ノイズフィルタの入力端子若しくは出力端子となる端子台105が設けられている。当該端子台105は、樹脂などの絶縁性材料で形成され、その上部に複数の端子台部107を区画形成してなる端子台本体108と、この端子台本体108のそれぞれに配置され、その略中央に例えばバーリング加工で形成したねじ孔109を有する導電性の端子片110と、前記ねじ孔109に螺合するワッシャ付きの端子ねじ111とにより構成される。また、112はノイズフィルタの筐体102を図示しない取付面にねじ止めで取付けるための取付孔である。
【０００４】
そして、上記構成のノイズフィルタを外部と電気的に接続する場合は、端子ねじ111をねじ孔109に取り付けていない状態で、リード線（図示せず）の先端に取り付けられた外部端子を端子片110の上に載せ、その後で端子ねじ111をねじ孔に螺合することで、外部端子を端子ねじ111の頭部と端子片110との間に押圧状態で挟持するようになっている。
【特許文献１】特開２００２−１６４６６９号公報
【発明の開示】
【発明が解決しようとする課題】
【０００５】
上記構成におけるノイズフィルタの端子台105は、端子片110より端子ねじ111が着脱できる構造となっており、リード線の配線時に端子ねじ111が脱落して紛失する虞れがある。特に図８に示すように、筐体２が垂直な取付面121に取付けられ、端子ねじ111が上下方向ではなく水平方向に装着される場合には、端子片110の上面が垂直方向に配置される関係で、リード線122の先端にある外部端子123を端子片110に載せた状態で配線作業を行なうことができないため、リード線122，端子ねじ111，工具であるドライバーＴの３品を手で持たなければならず、作業性が極めて悪い。
【０００６】
本発明は上記の課題に着目してなされたもので、端子ねじを水平方向に装着するように筐体が配置された場合であっても、配線時の作業性を悪化させないノイズフィルタを提供することをその目的とする。
【課題を解決するための手段】
【０００７】
請求項１の発明は、ケース部材と板状部材とを備えた筐体を有し、前記ケース部材の側面部に端子台を配置したノイズフィルタにおいて、前記端子台は、端子台本体と、前記端子台本体に設けられねじ孔を形成した端子片と、この端子片のねじ孔に螺合される端子ねじと、前記端子片との間に隙間を形成しつつ、該端子片を回動可能な状態で保持する保持部とを備えて構成される。
【０００８】
このようにすると、端子台への配線時には、保持部が端子ねじを端子片から浮かせた状態に保持するので、電線の先端にある外部端子を端子片と保持部との間に位置させて、保持部により保持された端子ねじをドライバーなどの工具で回すだけで、外部端子が保持部と端子片との間に押圧状態で挟持される。したがって、端子ねじを水平方向に装着するように筐体が配置された場合でも、端子台への配線時の作業性は悪化しない。
【０００９】
請求項２の発明は、前記端子台本体を前記ケース部材と一体に形成して構成される。
【００１０】
こうすると、端子台本体をケース部材と共に形成できるので、端子台本体とケース部材を一体的に組み込むことが可能になる。
【発明の効果】
【００１１】
請求項１の発明によれば、端子ねじを水平方向に装着するように筐体が配置された場合であっても、配線時の作業性を悪化させないノイズフィルタを提供できる。
【００１２】
請求項２の発明によれば、端子台とケース部材を一体的に組み込むことができ、作業性を改善できる。
【発明を実施するための最良の形態】
【００１３】
以下、本発明におけるノイズフィルタの好ましい実施形態について、添付図面を参照しながら詳細に説明する。なお、前記従来例における図７および図８と同一箇所には同一符号を付し、その共通する部分の説明は重複するため省略する。
【００１４】
先ず、ノイズフィルタの全体的な構成を図１および図２に基づき説明する。同図において、101はノイズフィルタの外郭である筐体102をなす樹脂ケース、103はこの樹脂ケース101の下面開口を塞ぐ板金部材としての底板板金で、樹脂ケース101の一側および他側より外方に突出した底板板金103の端子基部104には、ノイズフィルタの入力端子若しくは出力端子となる一対の端子台51が設けられている。また、122はノイズフィルタに接続するリード線で、このリード線122の先端には圧着端子などの外部端子が連結される。ここでの筐体２は、図２に示すように、底板板金103の四隅に設けた取付孔112にねじ125を挿通して、配電盤などの垂直な取付面121に取付けられる。勿論、水平若しくはそれ以外の角度の取付面に筐体２を取付けても何等差し支えない。
【００１５】
次に、図３〜図６を参照しながら、各々の端子台51の構成をより詳しく説明する。なお、ここにある端子台51の構成は、エムデン無線工業株式会社製のものを利用している。１は端子台51の基部をなす端子台本体であって、これは前記樹脂ケース101と共に絶縁性材料で一体的に成形される。端子台本体１は複数（実施例では３つ）に区画形成した端子台部２を有し、この端子台部２は上方に開放した端子片配設部３と下方に開口した空洞部４とが上下に仕切り形成され、この端子片配設部３の底部には端子ねじ挿通孔５が形成される。また、図５に示すように、この端子片配設部３の一端側の両側には、前記基盤体嵌合部４に連通する上下方向の係合溝６が形成される。この係合溝６の上部は幅寸法が狭い保持溝部７に形成され、この保持溝部７の下部に連続してこの保持溝部７より拡幅した摺動溝部８が形成され、さらに、この摺動溝部８の下部に連続してこの摺動溝部８より拡幅された遊動溝部９が前記空洞部４に位置して形成されている。
【００１６】
また、前記端子台本体１の各端子台部２の端子片配設部３に設けられた端子片15は中央部にねじ孔16が形成され、その両側部には下方に折り曲げられた固定片部17が設けられている。さらに、この固定片部17の両側縁にある係止爪部18は、前記端子片配設部３の内面に食い込み係止するものであって、この端子片配設部３に上方から組み込んだ端子片15は、固定片部17の係止爪部18が端子片配設部３の内面に係止されて固定される。また、端子片15の一側からは、筐体102の内部に向けて延びる接続部17が形成される。この接続部17は、筐体102の内部に配置されたノイズフィルタの部品リード線（図示せず）を半田付け接続するために設けられている。20は前記端子片15のねじ孔16に螺合される端子ねじであって、これは頭部21とねじ部22との間に径小軸部23が形成され、この径小軸部23には抜け止め座金保持部24が拡径状に形成されている。
【００１７】
25は、前記端子ねじ20を回動可能に支持する座金である。この座金25には、前記端子ねじ20が挿通可能な端子ねじ挿通孔26が形成されると共に、端子ねじ20の締め付けにより端子ねじ挿通孔26の内周縁が変形して、この端子ねじ挿通孔26の内径が縮径され、端子ねじ20の座金保持部24に係合される略円錐台形状の係合縁27が形成されている。この座金25の一側には下方に向けて折り曲げたコンタクト片部28が一体に形成されている。
【００１８】
前記コンタクト片部28は、前記端子台本体１の係合溝６に上下方向に移動可能に係合される。このコンタクト片部28は上下方向に下側に向って開口した切り欠き凹部29によって両側脚片部30が形成され、この両側脚片部30は切り欠き凹部29によって互いに接近する方向への押圧力に対して拡がる方向への反発弾性力が作用するようになっている。
【００１９】
このコンタクト片部28の両側脚片部30には、下端部の外側縁に突出し前記端子台本体１の係合溝６に形成した保持溝部７に弾力的に圧接されて座金25を上部位置に保持する摺動部31が形成される。そして、このコンタクト片部28の摺動部31は、前記保持溝部７の下部に連続した摺動溝部８を摺動するとともに、この摺動溝部８の下部に連続し前記空洞部４に位置する遊動溝部９にて係合溝６との係合が解かれるようになっている。
【００２０】
さらに、前記コンタクト片部28の両側脚片部30の互いに対向する内側縁には、接触片部32がそれぞれ突弧状に突設される。これらの座金25とコンタクト片部28とにより、配線作業時において、端子片15との間に隙間を形成しつつ、この端子片15を回動可能な状態で保持する保持部34を構成している。
【００２１】
次に上記構成について説明すると、端子台51の組立時には、端子片15の一側から延びる接続部19に、ノイズフィルタの構成部品（例えばチョークコイルやコンデンサ）のリード線を半田付け接続し、樹脂ケース101の開口面を塞ぐように底板板金103を取付けることで、ノイズフィルタとしての組立作業が完了する。このとき、樹脂ケース101と端子台本体１は予め一体に形成されているので、樹脂ケース101に底板板金103を取付けるのと同時に、端子台51が所望の位置に装着される。
【００２２】
上記ノイズフィルタに対し、外部端子123付きのリード線122を接続するには、先ず座金25と端子片15との間に外部端子123を挿入するに十分な隙間が確保されるように、座金25を上部位置に持ち上げる。このとき、コンタクト片部28の両側脚片部30に形成した摺動部31が、端子台本体１の係合溝６に形成した保持溝部７に弾力的に圧接するので、座金25ひいてはこの座金25に保持された端子ねじ20が端子片15から浮かせた状態に保持される。そのため、図２に示すように、端子ねじ20が水平方向に螺合する場合であっても、リード線122の先端にある外部端子123を座金25と端子片15との間に挿入した状態で、ドライバーＴにより端子ねじ20の頭部21を回して、そのねじ部22をねじ孔16に締め付けるだけで、端子ねじ20を手で持たずに外部端子123を座金25と端子片15との間に挟持することが可能になる。また、端子ねじ20の締め付け螺合で座金25のコンタクト片部28は係合溝６の摺動溝部８を摺動して下降し、遊動溝部９にて係合が解かれている。それと共に、外部端子123は端子片15に接触して、樹脂ケース101の内部にあるノイズフィルタの構成部品との導通が図られる。
【００２３】
さらに、座金25の端子ねじ挿通孔26に挿通した状態で、端子片15のねじ孔16に端子ねじ20を螺合して締め付けると、係合縁27が変形して内径が縮径されて端子ねじ20の座金保持部24に係合され、端子ねじ20は容易に座金25に保持される。
【００２４】
以上のように本実施例では、ケース部材である樹脂ケース101と板状部材である底板板金103とを備えた筐体102を有し、樹脂ケース101の側面部に端子台51を配置したノイズフィルタにおいて、前記端子台51は、端子台本体１と、この端子台本体１に設けられねじ孔16を形成した端子片15と、この端子片15を回動可能な状態で保持する保持部34とを備えた構造を有している。
【００２５】
こうすると、端子台51への配線時には、保持部34が端子ねじ20を端子片15から浮かせた状態に保持するので、電線であるリード線122の先端にある外部端子123を保持部34の座金25と端子片15との間に位置させて、この座金25により保持された端子ねじ20をドライバーＴなどの工具で回すだけで、外部端子123が座金25と端子片15との間に押圧状態で挟持され、樹脂ケース101の内部にあるノイズフィルタの構成部品との導通接続が図られる。したがって、端子ねじ20を水平方向に装着するように筐体102が配置された場合でも、端子台51への配線時の作業性は悪化しない。
【００２６】
また本実施例では、前記端子台本体１を樹脂ケース101と一体に形成している。こうすると、端子台本体１を樹脂ケース101と共に形成できるので、端子台本体１と樹脂ケース101を一体的に組み込むことが可能になる。
【００２７】
さらに本実施例では、樹脂ケース101の内部にあるノイズフィルタの構成部品との接続を可能にする接続部19を接続片15に設けており、外部端子123がその下方の接続片15に接触していれば、ノイズフィルタの構成部品との接続が安定して図られる。また、保持部34は絶縁部材でもよく、この場合は保持部34を利用して各端子台部２の絶縁を確保することができる。
【００２８】
なお、本発明は上記実施例に限定されるものではなく、本発明の要旨の範囲において種々の変形実施が可能である。例えば、端子台に取り付けられる端子片や端子ねじの個数は、上記実施例中のものに限定されない。
【図面の簡単な説明】
【００２９】
【図１】本発明の一実施例におけるノイズフィルタの要部斜視図である。
【図２】同上、ノイズフィルタを垂直な取付面に取付けた場合の正面図である。
【図３】同上、端子台の縦断面図である。
【図４】同上、端子台の端子台本体を基盤から分離した状態を示す縦断面図である。
【図５】同上、端子台の係合溝部の縦断面図である。
【図６】同上、端子台の座金の縦断面図である。
【図７】従来例を示すノイズフィルタの要部斜視図である。
【図８】従来例を示すノイズフィルタの要部斜視図である。
【符号の説明】
【００３０】
１  端子台本体
15  端子片
16  ねじ孔
20  端子ねじ
34  保持部
51  端子台
101  樹脂ケース（ケース部材）
102  筐体
103  底板部材（板状部材）
【図１】
2005276567.tif 000003
【図２】
2005276567.tif 000004
【図３】
2005276567.tif 000005
【図４】
2005276567.tif 000006
【図５】
2005276567.tif 000007
【図６】
2005276567.tif 000008
【図７】
2005276567.tif 000009
【図８】
2005276567.tif 000010
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
ケース部材と板状部材とを備えた筐体を有し、前記ケース部材の側面部に端子台を配置したノイズフィルタにおいて、
前記端子台は、端子台本体と、前記端子台本体に設けられねじ孔を形成した端子片と、この端子片のねじ孔に螺合される端子ねじと、前記端子片との間に隙間を形成しつつ、前記端子ねじを回動可能な状態で保持する保持部とを備えたことを特徴とするノイズフィルタ。
【請求項２】
前記端子台本体を前記ケース部材と一体に形成したことを特徴とする請求項１記載のノイズフィルタ。
【請求項３】
前記端子台本体は複数に区画形成され、当該区画部分に前記保持部を上下方向に移動可能に係合する係合溝を形成したことを特徴とする請求項１又は請求項２に記載のノイズフィルタ。
【請求項４】
前記端子片の一側から前記筐体の内部に向けて延びる接続部を形成したことを特徴とする請求項１〜３のいずれか１つに記載のノイズフィルタ。  」
【手続補正２】
【補正対象書類名】明細書
【補正対象項目名】全文
【補正方法】変更
【補正の内容】
【発明の詳細な説明】
【技術分野】
【０００１】
この発明は、端子片に形成したねじ孔に端子ねじを螺合することで、端子片と端子ねじの頭部との間に、電線を接続した外部端子を挟持する端子台を備えたノイズフィルタに関するものである。
【背景技術】
【０００２】
一般に、この種のノイズフィルタは例えば特許文献１に示すように、矩形箱状の筐体内部に各種回路素子が収容されると共に、筐体の例えば前面には外部接続用の入出力端子やグランド端子などが設けられる。ここでの入力端子や出力端子は、ねじ孔を形成した端子片を絶縁性材料からなる端子台本体の上面に設け、この端子片のねじ孔に端子ねじを螺合した端子台により構成される。
【０００３】
図７は、こうした端子台を備えたノイズフィルタの一例を示すものである。同図において、101はノイズフィルタの外郭である筐体102をなすケース、103はこのケース101の下面開口を塞ぐ板金部材としての底板板金で、ケース101の一側および他側より外方に突出した底板板金103の端子基部104には、ノイズフィルタの入力端子若しくは出力端子となる端子台105が設けられている。当該端子台105は、樹脂などの絶縁性材料で形成され、その上部に複数の端子台部107を区画形成してなる端子台本体108と、この端子台本体108のそれぞれに配置され、その略中央に例えばバーリング加工で形成したねじ孔109を有する導電性の端子片110と、前記ねじ孔109に螺合するワッシャ付きの端子ねじ111とにより構成される。また、112はノイズフィルタの筐体102を図示しない取付面にねじ止めで取付けるための取付孔である。
【０００４】
そして、上記構成のノイズフィルタを外部と電気的に接続する場合は、端子ねじ111をねじ孔109に取り付けていない状態で、リード線（図示せず）の先端に取り付けられた外部端子を端子片110の上に載せ、その後で端子ねじ111をねじ孔に螺合することで、外部端子を端子ねじ111の頭部と端子片110との間に押圧状態で挟持するようになっている。
【特許文献１】特開２００２−１６４６６９号公報
【発明の開示】
【発明が解決しようとする課題】
【０００５】
上記構成におけるノイズフィルタの端子台105は、端子片110より端子ねじ111が着脱できる構造となっており、リード線の配線時に端子ねじ111が脱落して紛失する虞れがある。特に図８に示すように、筐体２が垂直な取付面121に取付けられ、端子ねじ111が上下方向ではなく水平方向に装着される場合には、端子片110の上面が垂直方向に配置される関係で、リード線122の先端にある外部端子123を端子片110に載せた状態で配線作業を行なうことができないため、リード線122，端子ねじ111，工具であるドライバーＴの３品を手で持たなければならず、作業性が極めて悪い。
【０００６】
本発明は上記の課題に着目してなされたもので、端子ねじを水平方向に装着するように筐体が配置された場合であっても、配線時の作業性を悪化させないノイズフィルタを提供することをその目的とする。
【課題を解決するための手段】
【０００７】
請求項１の発明は、ケース部材と板状部材とを備えた筐体を有し、前記ケース部材の側面部に端子台を配置したノイズフィルタにおいて、前記端子台は、端子台本体と、前記端子台本体に設けられねじ孔を形成した端子片と、この端子片のねじ孔に螺合される端子ねじと、前記端子片との間に隙間を形成しつつ、前記端子ねじを回動可能な状態で保持する保持部とを備えて構成される。
【０００８】
このようにすると、端子台への配線時には、保持部が端子ねじを端子片から浮かせた状態に保持するので、電線の先端にある外部端子を端子片と保持部との間に位置させて、保持部により保持された端子ねじをドライバーなどの工具で回すだけで、外部端子が保持部と端子片との間に押圧状態で挟持される。したがって、端子ねじを水平方向に装着するように筐体が配置された場合でも、端子台への配線時の作業性は悪化しない。
【０００９】
請求項２の発明は、前記端子台本体を前記ケース部材と一体に形成して構成される。
【００１０】
こうすると、端子台本体をケース部材と共に形成できるので、端子台本体とケース部材を一体的に組み込むことが可能になる。
【００１１】
請求項３の発明は、前記端子台本体は複数に区画形成され、当該区画部分に前記保持部を上下方向に移動可能に係合する係合溝を形成している。
【００１２】
このようにすると、区画部分を利用して係合溝を形成することができる。
【００１３】
請求項４の発明は、前記端子片の一側から前記筐体の内部に向けて延びる接続部を形成している。
【００１４】
このようにすると、端子片に筐体の内部に配置されたノイズフィルタの部品リード線を接続することができる。
【発明の効果】
【００１５】
請求項１の発明によれば、端子ねじを水平方向に装着するように筐体が配置された場合であっても、配線時の作業性を悪化させないノイズフィルタを提供できる。
【００１６】
請求項２の発明によれば、端子台とケース部材を一体的に組み込むことができ、作業性を改善できる。
【００１７】
請求項３の発明によれば、区画部分を利用して係合溝を形成することができる。
【００１８】
請求項４の発明によれば、端子片に筐体の内部に配置されたノイズフィルタの部品リード線を接続することができる。
【発明を実施するための最良の形態】
【００１９】
以下、本発明におけるノイズフィルタの好ましい実施形態について、添付図面を参照しながら詳細に説明する。なお、前記従来例における図７および図８と同一箇所には同一符号を付し、その共通する部分の説明は重複するため省略する。
【００２０】
先ず、ノイズフィルタの全体的な構成を図１および図２に基づき説明する。同図において、101はノイズフィルタの外郭である筐体102をなす樹脂ケース、103はこの樹脂ケース101の下面開口を塞ぐ板金部材としての底板板金で、樹脂ケース101の一側および他側より外方に突出した底板板金103の端子基部104には、ノイズフィルタの入力端子若しくは出力端子となる一対の端子台51が設けられている。また、122はノイズフィルタに接続するリード線で、このリード線122の先端には圧着端子などの外部端子が連結される。ここでの筐体２は、図２に示すように、底板板金103の四隅に設けた取付孔112にねじ125を挿通して、配電盤などの垂直な取付面121に取付けられる。勿論、水平若しくはそれ以外の角度の取付面に筐体２を取付けても何等差し支えない。
【００２１】
次に、図３〜図６を参照しながら、各々の端子台51の構成をより詳しく説明する。なお、ここにある端子台51の構成は、エムデン無線工業株式会社製のものを利用している。１は端子台51の基部をなす端子台本体であって、これは前記樹脂ケース101と共に絶縁性材料で一体的に成形される。端子台本体１は複数（実施例では３つ）に区画形成した端子台部２を有し、この端子台部２は上方に開放した端子片配設部３と下方に開口した空洞部４とが上下に仕切り形成され、この端子片配設部３の底部には端子ねじ挿通孔５が形成される。また、図５に示すように、この端子片配設部３の一端側の両側には、前記空洞部４に連通する上下方向の係合溝６が形成される。この係合溝６の上部は幅寸法が狭い保持溝部７に形成され、この保持溝部７の下部に連続してこの保持溝部７より拡幅した摺動溝部８が形成され、さらに、この摺動溝部８の下部に連続してこの摺動溝部８より拡幅された遊動溝部９が前記空洞部４に位置して形成されている。
【００２２】
また、前記端子台本体１の各端子台部２の端子片配設部３に設けられた端子片15は中央部にねじ孔16が形成され、その両側部には下方に折り曲げられた固定片部17が設けられている。さらに、この固定片部17の両側縁にある係止爪部18は、前記端子片配設部３の内面に食い込み係止するものであって、この端子片配設部３に上方から組み込んだ端子片15は、固定片部17の係止爪部18が端子片配設部３の内面に係止されて固定される。また、端子片15の一側からは、筐体102の内部に向けて延びる接続部17が形成される。この接続部17は、筐体102の内部に配置されたノイズフィルタの部品リード線（図示せず）を半田付け接続するために設けられている。20は前記端子片15のねじ孔16に螺合される端子ねじであって、これは頭部21とねじ部22との間に径小軸部23が形成され、この径小軸部23には抜け止め座金保持部24が拡径状に形成されている。
【００２３】
25は、前記端子ねじ20を回動可能に支持する座金である。この座金25には、前記端子ねじ20が挿通可能な端子ねじ挿通孔26が形成されると共に、端子ねじ20の締め付けにより端子ねじ挿通孔26の内周縁が変形して、この端子ねじ挿通孔26の内径が縮径され、端子ねじ20の座金保持部24に係合される略円錐台形状の係合縁27が形成されている。この座金25の一側には下方に向けて折り曲げたコンタクト片部28が一体に形成されている。
【００２４】
前記コンタクト片部28は、前記端子台本体１の係合溝６に上下方向に移動可能に係合される。このコンタクト片部28は上下方向に下側に向って開口した切り欠き凹部29によって両側脚片部30が形成され、この両側脚片部30は切り欠き凹部29によって互いに接近する方向への押圧力に対して拡がる方向への反発弾性力が作用するようになっている。
【００２５】
このコンタクト片部28の両側脚片部30には、下端部の外側縁に突出し前記端子台本体１の係合溝６に形成した保持溝部７に弾力的に圧接されて座金25を上部位置に保持する摺動部31が形成される。そして、このコンタクト片部28の摺動部31は、前記保持溝部７の下部に連続した摺動溝部８を摺動するとともに、この摺動溝部８の下部に連続し前記空洞部４に位置する遊動溝部９にて係合溝６との係合が解かれるようになっている。
【００２６】
さらに、前記コンタクト片部28の両側脚片部30の互いに対向する内側縁には、接触片部32がそれぞれ突弧状に突設される。これらの座金25とコンタクト片部28とにより、配線作業時において、端子片15との間に隙間を形成しつつ、端子ねじ20を回動可能な状態で保持する保持部34を構成している。
【００２７】
次に上記構成について説明すると、端子台51の組立時には、端子片15の一側から延びる接続部19に、ノイズフィルタの構成部品（例えばチョークコイルやコンデンサ）のリード線を半田付け接続し、樹脂ケース101の開口面を塞ぐように底板板金103を取付けることで、ノイズフィルタとしての組立作業が完了する。このとき、樹脂ケース101と端子台本体１は予め一体に形成されているので、樹脂ケース101に底板板金103を取付けるのと同時に、端子台51が所望の位置に装着される。
【００２８】
上記ノイズフィルタに対し、外部端子123付きのリード線122を接続するには、先ず座金25と端子片15との間に外部端子123を挿入するに十分な隙間が確保されるように、座金25を上部位置に持ち上げる。このとき、コンタクト片部28の両側脚片部30に形成した摺動部31が、端子台本体１の係合溝６に形成した保持溝部７に弾力的に圧接するので、座金25ひいてはこの座金25に保持された端子ねじ20が端子片15から浮かせた状態に保持される。そのため、図２に示すように、端子ねじ20が水平方向に螺合する場合であっても、リード線122の先端にある外部端子123を座金25と端子片15との間に挿入した状態で、ドライバーＴにより端子ねじ20の頭部21を回して、そのねじ部22をねじ孔16に締め付けるだけで、端子ねじ20を手で持たずに外部端子123を座金25と端子片15との間に挟持することが可能になる。また、端子ねじ20の締め付け螺合で座金25のコンタクト片部28は係合溝６の摺動溝部８を摺動して下降し、遊動溝部９にて係合が解かれている。それと共に、外部端子123は端子片15に接触して、樹脂ケース101の内部にあるノイズフィルタの構成部品との導通が図られる。
【００２９】
さらに、座金25の端子ねじ挿通孔26に挿通した状態で、端子片15のねじ孔16に端子ねじ20を螺合して締め付けると、係合縁27が変形して内径が縮径されて端子ねじ20の座金保持部24に係合され、端子ねじ20は容易に座金25に保持される。
【００３０】
以上のように本実施例では、ケース部材である樹脂ケース101と板状部材である底板板金103とを備えた筐体102を有し、樹脂ケース101の側面部に端子台51を配置したノイズフィルタにおいて、前記端子台51は、端子台本体１と、この端子台本体１に設けられねじ孔16を形成した端子片15と、端子ねじ20を回動可能な状態で保持する保持部34とを備えた構造を有している。
【００３１】
こうすると、端子台51への配線時には、保持部34が端子ねじ20を端子片15から浮かせた状態に保持するので、電線であるリード線122の先端にある外部端子123を保持部34の座金25と端子片15との間に位置させて、この座金25により保持された端子ねじ20をドライバーＴなどの工具で回すだけで、外部端子123が座金25と端子片15との間に押圧状態で挟持され、樹脂ケース101の内部にあるノイズフィルタの構成部品との導通接続が図られる。したがって、端子ねじ20を水平方向に装着するように筐体102が配置された場合でも、端子台51への配線時の作業性は悪化しない。
【００３２】
また本実施例では、前記端子台本体１を樹脂ケース101と一体に形成している。こうすると、端子台本体１を樹脂ケース101と共に形成できるので、端子台本体１と樹脂ケース101を一体的に組み込むことが可能になる。
【００３３】
さらに本実施例では、樹脂ケース101の内部にあるノイズフィルタの構成部品との接続を可能にする接続部19を接続片15に設けており、外部端子123がその下方の接続片15に接触していれば、ノイズフィルタの構成部品との接続が安定して図られる。また、保持部34は絶縁部材でもよく、この場合は保持部34を利用して各端子台部２の絶縁を確保することができる。
【００３４】
また本実施例では、前記端子台本体１は複数に区画形成され、当該区画部分に前記保持部34を上下方向に移動可能に係合する係合溝６を形成している。
【００３５】
このようにすると、区画部分を利用して係合溝６を形成することができる。
【００３６】
さらに本実施例では、前記端子片15の一側から前記筐体102の内部に向けて延びる接続部19を形成している。
【００３７】
このようにすると、端子片15に筐体102の内部に配置されたノイズフィルタの部品リード線を接続することができる。
【００３８】
なお、本発明は上記実施例に限定されるものではなく、本発明の要旨の範囲において種々の変形実施が可能である。例えば、端子台に取り付けられる端子片や端子ねじの個数は、上記実施例中のものに限定されない。
【図面の簡単な説明】
【００３９】
【図１】本発明の一実施例におけるノイズフィルタの要部斜視図である。
【図２】同上、ノイズフィルタを垂直な取付面に取付けた場合の正面図である。
【図３】同上、端子台の縦断面図である。
【図４】同上、端子台の端子台本体を基盤から分離した状態を示す縦断面図である。
【図５】同上、端子台の係合溝部の縦断面図である。
【図６】同上、端子台の座金の縦断面図である。
【図７】従来例を示すノイズフィルタの要部斜視図である。
【図８】従来例を示すノイズフィルタの要部斜視図である。
【符号の説明】
【００４０】
１  端子台本体
６  係合溝
15  端子片
16  ねじ孔
19  接続部
20  端子ねじ
34  保持部
51  端子台
101  樹脂ケース（ケース部材）
102  筐体
103  底板部材（板状部材）